(57)【要約】　　　（修正有）【課題】比較的簡単な構成でありながら、ペンダントの多面的な装飾効果を発揮し得るような構成を提供すること。【解決手段】２個の装飾片１を共通軸３によって回転自在に支持し、鎖又は紐４を挿通する孔２の位置を選択することによって、２個のペンダントの装飾面部１１の組み合わせによる配置を様々な状態に変化させ得ることを可能とするペンダント。【選択図】　　　　　図４
2004033653.tif 000002
【特許請求の範囲】
【請求項１】
装飾面部、及び鎖又は紐を挿通し得る１個又は複数個の孔を有し、該装飾面部に接続され、かつ異なる面の方向を有している側部からなる装飾片を２個設け、かつ装飾面部が１本の共通軸を介して回転自在に支持されていることに基づくペンダント。
【請求項２】
装飾面部、及び鎖又は紐を挿通し得る１個又は複数個の孔を有し、該装飾面部に接続され、かつ異なる面の方向を有している側部からなる装飾片を２個設け、該側部が１本の共通軸によって回転自在に支持されていることに基づくペンダント。
【請求項３】
鎖又は紐を裏側から表側、表側から裏側にそれぞれ挿通する孔の組合せを一対又は複数対有している装飾面部を２個設け、各装飾面部が１本の共通軸を介して回転自在に支持されていることに基づくペンダント。
【請求項４】
２個の装飾片の内の少なくとも一方において、側部に対し、両側から装飾面部が接続した状態に設計したことを特徴とする請求項１、２記載のペンダント。
【請求項５】
２個の装飾面部が重畳した場合、表面側に位置している一方の装飾面部が裏面側に位置している他方の装飾面部を完全にカバーすることができることを特徴とする請求項１、２、３記載のペンダント。
【請求項６】
表面側に位置している装飾面部と裏面側に位置している装飾面部との形状又は模様が完全に異なっていることを特徴とする請求項１、２、３記載のペンダント。
【請求項７】
表面側に位置している装飾面部の領域の一部を透明状態、又は空隙を有する状態とすることによって、当該表面側に位置している一方の装飾面部の模様と裏面側に位置している他方の装飾面部の模様との重畳による模様を形成することを可能とする請求項１、２、３記載のペンダント。
【請求項８】
共通軸と鎖又は紐を挿通する孔とを、上下方向の反対側に位置している両端付近に設けたことを特徴とする請求項１、２、３記載のペンダント。
【請求項９】
共通軸を上下方向の略中央位置に設け、一方の装飾片にのみ鎖又は紐を挿通させ、他方の装飾片に鎖又は紐を挿通させない場合に、双方の装飾面部が交差した状態を維持し得ることを特徴とする請求項１、３記載のペンダント。
【請求項１０】
重畳し合う領域において、磁石の吸引力に基づいて重畳した状態を維持し得ることを特徴とする請求項１、２、３記載のペンダント。
【発明の詳細な説明】
【０００１】
【発明の属する技術分野】
本発明は、ネックレスなどにおいて使用するペンダントの構成に関するものである。
【０００２】
【従来の技術】
従来、装飾効果を発揮するペンダントにおいては、１個の装飾片に対し鎖又は紐を挿通する構成、又は複数個の装飾片の組み合わせの全て又は一部に対し鎖又は紐を挿通する構成が採用されている。
【０００３】
前者の構成は、極めて単純であるが、多様な装飾効果を発揮することができない。
【０００４】
後者の結合による構成は、結合の変化によって、色々な装飾上の変化を発揮することが可能であるが、通常極めて複雑な構成である場合も多く、製造上及び使用上煩雑であることを免れることができない。
【０００５】
【発明が解決しようとする課題】
本発明は、前記のような従来技術の状況に鑑み、比較的単純な構成でありながら、バラエティに富んだ装飾効果を発揮することを可能とするペンダントの構成を提供することを課題とするものである。
【０００６】
【課題を解決するための手段】
前記課題を解決するため、本発明の構成は、
（１）装飾面部、及び鎖又は紐を挿通し得る１個又は複数個の孔を有し、該装飾面部に接続され、かつ異なる面の方向を有している側部からなる装飾片を２個設け、かつ装飾面部が１本の共通軸を介して回転自在に支持されていることに基づくペンダント、
（２）装飾面部、及び鎖又は紐を挿通し得る１個又は複数個の孔を有し、該装飾面部に接続され、かつ異なる面の方向を有している側部からなる装飾片を２個設け、該側部が１本の共通軸によって回転自在に支持されていることに基づくペンダント、
（３）鎖又は紐を裏側から表側、表側から裏側にそれぞれ挿通する孔の組合せを一対又は複数対有している装飾面部を２個設け、各装飾面部が１本の共通軸を介して回転自在に支持されていることに基づくペンダント、
からなる。
【０００７】
【発明の実施の形態】
前記（１）、（２）、（３）の構成は、何れも装飾面部を構成要素としている装飾片を２個設けており、かつ当該装飾片が１本の共通軸によって回転自在に支持されている点において共通している。
但し、前記（１）、（３）の構成では、装飾面部が１本の共通軸によって回転自在に支持されているのに対し、前記（２）の構成では、側部が１本の共通軸によって回転自在に支持されている点において相違している。
【０００８】
更には、前記（１）、（２）の構成では、首から肩にかけて巻着している鎖又は紐を挿通し得る孔を側部に設けているのに対し、前記（３）の構成では、各装飾面部において、鎖又は紐を裏側から表側に挿通し得る孔と、表側から裏側に挿通する孔との結合を有している点において相違している。
【０００９】
図４は、前記（１）の構成において、両側の装飾面部１１を設け、かつ側部１２に接続させた実施形態を示しており、（ａ）は、共通軸３に近い孔２に鎖又は紐４を挿通し、装飾面部１１を殆ど重畳した状態となった場合の上面図を示しており、（ｂ）は、（ａ）と同様の場合の正面図を示しており、（ｃ）は、共通軸３から離れた位置にある孔２に鎖又は紐４を挿通し、２個の装飾面部１１が殆ど重畳していない状態となった場合を示す正面図である。
【００１０】
尚、（ｃ）のような状態を実現するためには、鎖又は紐４と孔２とが滑りにくい状態となっており、２個の装飾面部１１が重畳した状態に戻ろうとするような重力に基づくモーメントが生じても、当該モーメントを上回るような摩擦力が生じていることを不可欠としている。
【００１１】
図４（ｂ）、（ｃ）の双方を実現するためには、各側部１２において孔２をそれぞれ少なくとも２個有することを必要としており、このような設計によって、２個の装飾片１について色々な形状の組み合わせを実現している。
但し、前記（１）の構成においては、各側部１２において１個の孔２を設ける構成も可能であり、例えば図４（ｄ）に示すように、共通軸３と鎖又は紐４を挿通する孔２とを、上下方向の反対側に位置している両端付近に設けたうえで、一方の側部１２において共通軸３から離れた位置にある孔２に鎖又は紐４を挿通し、他方の側部１２に鎖又は紐４を挿通せずに、共通軸３から釣り下がった状態とすることによって、双方に鎖又は紐４を挿通した状態（この場合には図４（ｃ）と同じような状態となる。）と異なる形状の組合せを実現することも可能である。
【００１２】
前記（１）の構成においては、例えば図４（ｅ）に示すように、側部１２の片側にのみ装飾面部１１を接続させる構成も可能であり、更には側部１２を図４（ａ）、（ｅ）に示すように、相互に反対側に設置せず、図４（ｆ）に示すように、同一側に設置する設計もまた、当然可能である。
【００１３】
図５は、前記（２）の構成の内、側部１２に対し両側の装飾面部１１を接続させた実施形態において、共通軸３と鎖又は紐４を挿通する孔２とを、上下方向の反対側に位置している両端付近に設けたうえで、（ａ）は鎖又は紐４を２個の側部１２の孔２に挿通した場合の上面図を示し、（ｂ）は上記場合の側面図を示しており、（ｃ）は１個の側部１２の孔２にのみ挿通した場合の正面図を示している。
【００１４】
前記（２）の構成における前記実施態様の場合には、図５（ｂ）、（ｃ）に示すように、鎖又は紐４を挿通する装飾片１を１個とするか、２個とするかによって、
一方の装飾面部１１の表面と、他方の装飾面部１１の裏面を横方向に並べた状態（図５（ｂ）の場合）、
又は、
一方の装飾面部１１の表面と、他方の装飾面部１１の表面側を斜交い方向、又は縦方向に並べた状態（図５（ｃ）の場合）を適宜に選択しながら実現することが可能となる。
【００１５】
図５（ａ）、（ｂ）、（ｃ）は、鎖又は紐４を各側部１２に挿通させた場合には、各側部１２が反対側となるような設計を採用しているが、前記（２）の構成による実施形態においては、このような設計だけでなく、鎖又は紐４を挿通させた場合、例えば図５（ｄ）に示すように、側部１２が同一側となるような設計も可能となる（この場合には、図５（ｃ）に示すように、一方の装飾片１の孔２のみに鎖又は紐４を挿通した場合には、一方の装飾面部１１の表面と他方の装飾面部１１の裏面とを斜交い方向、又は縦方向に並べた状態を実現することになる。）。
【００１６】
図６は、前記（３）の構成において、共通軸３を上下方向の一方側の端部付近に設けた実施形態を示しており、（ａ）は、紐又は鎖４を２枚の装飾面部１１の各一対の孔２の組合せを同一位置としたうえで挿通した場合の上面図を示しており、（ｂ）は、前記場合の正面図を示しており、（ｃ）は、鎖又は紐４を２枚の装飾面部１１の各一対の孔２の組合せを異なる位置としたうえで、前記のように挿通した場合の正面図を示しており、（ｄ）は、鎖又は紐４を１個の装飾面部１１における一対の孔２の組合せにのみ挿通した状態を示す正面図を示している。
【００１７】
図６（ｂ）、（ｃ）、（ｄ）からも明らかなように、前記（３）の構成においても、２個の装飾片１について様々な配置によって変化に富んだ装飾効果を実現することができる。
【００１８】
前記（１）、（２）、（３）の各構成において、例えば図４（ｂ）、図５（ｄ）、図６（ｂ）に示すように、２個の装飾面部１１が重畳した場合、表面側に位置している一方の装飾面部１１が裏面側に位置している他方の装飾面部１１を完全にカバーするような設計は当然可能である。
【００１９】
他方、図４（ｃ）、（ｄ）、図５（ｃ）、図６（ｂ）、（ｃ）に示すように、一方の装飾面部１１と他方の装飾面部１１とが完全には重複していない場合、又は全く重畳していない場合に、双方の装飾面部１１の形状又は模様を完全に異なった状態とした場合には、全く異なる模様の形状による装飾効果を実現することが可能となる。
【００２０】
前記（１）の構成を示す図４、及び前記（２）の構成を示す図５においては、装飾面部１１と側部１２とを湾曲した状態にて滑らかに接続しているが、前記（１）の構成、及び前記（２）の構成は、このような接続状態に限定される訳ではなく、例えば、直行するような角ばった接続状態を採用することもできる。
【００２１】
以上説明したように、本発明においては、比較的単純な構成でありながら、複数の組合せによる装飾効果を発揮することができる。
【００２２】
以下、実施例に即して説明する。
【００２３】
【実施例１】
実施例１は、前記（１）、（２）、（３）の構成において、一方の装飾面部１１の一部の領域を透明素材を使用するか、又は空隙を設けている。
【００２４】
このような設計によって、一方の装飾面部１１を他方の装飾面部１１と重畳した場合には、重畳に基づく装飾模様を享受することができると共に、重畳しない場合には、双方の装飾面部１１による組合せをも享受することができる。
【００２５】
例えば、前記（１）、（２）、（３）の各構成において、共通軸３を一方端側に設け、孔２を他方端側に設けた設計を採用したうえで、鎖又は紐４を２個の装飾片１に挿通させた場合には、図１（ａ）に示すように、鎖又は紐４が挿通された一方の装飾片１と、これらが挿通されていない他方の装飾片１は、共通軸３を介して上下に配列された状態となり、双方の組合せによる模様を享受することができる。
【００２６】
これに対し、鎖又は紐４を双方の装飾片１に装着させた場合には、図１（ｂ）に示すように、双方の装飾面部１１の重畳に基づく模様を享受することが可能となる。
尚、図１（ａ）、（ｂ）は、前記（１）の構成に即した状態を示しているが、前記（２）の構成に即した状態もまた、当然に実現可能である。
【００２７】
【実施例２】
実施例２は、前記（１）、（３）の構成において、２個の装飾片１の内、少なくとも１個の装飾片１において共通軸３を上下方向の略中央位置に設け、孔２を端部側に設けている。
【００２８】
このような設計に基づく実施例２において、図２（ａ）に示すように、２個の装飾片１の各孔２に鎖又は紐４を挿通させることによって、双方の装飾面部１１を重畳した状態を実現すると共に、図２（ｂ）に示すように、一方の孔２にのみ鎖又は紐４を挿通させ、他方の装飾片１の孔２には鎖又は紐４を挿通しないことによって、双方の装飾面部１１は交差した状態を維持した状態となっている。
【００２９】
このような交差した状態を維持するためには、例えば共通軸３の両側からネジによって固着させるとよい。
尚、図２（ａ）、（ｂ）は、前記（１）の構成に即した状態を示しているが、前記（２）の構成に即した状態もまた、当然に実現可能である。
【００３０】
前記（１）の構成の場合には、例えば、図２（ｃ）に示すように、各装飾面部１１の裏側において、両端が突出したピン５１（略コ字状のピン）を装飾面部の裏側の挿入孔５２に挿通することによって、前記保持の状態を維持することが可能である（尚、図２（ｃ）においては、ピン５１の両端が突出している状態、即ち、コ字状の状態であることの図示は省略している。）。
【００３１】
他方、前記（３）の構成においては、図２（ｂ）とは別に、図２（ｄ）に示すように、２個の装飾面部１１を交差した状態としたうえで、対をなす孔２に対し、それぞれ鎖又は紐４を挿通することによって、前記の交差した状態を実現することもできる。
但し、図２（ｄ）のような設計を採用するためには、鎖又は紐４と孔２との摩擦力によって前記交差した状態を維持しているので、そのためには、当該摩擦力が２個の装飾片１を同一方向とするような重力に基づくモーメントを上回る程度であることを不可欠としている。
【００３２】
【実施例３】
本発明においては、例えば前記（１）、（２）、（３）の構成において、図２（ｂ）、図４（ｃ）、図６（ｃ）に示す場合のように、２個の装飾面部１１が部分的に重畳した状態の場合に、当該状態が必ずしも安定している訳ではないことがある。
【００３３】
実施例３は、このような場合に対処するために、重畳し合う領域において磁石６の吸引力によって、前記のような部分的に重畳した状態を維持している。
【００３４】
このような磁石６の吸引力を採用するためには、重畳した領域を形成する一方の装飾面部１１に磁力を発揮する素材を採用し、他方の装飾面部１１として、図３（ａ）に示すように、同じように磁力を発揮する素材を採用したうえで、双方が吸引し合うような配置をするか、又は図３（ｂ）に示すように、鉄又はニッケルなど磁石６に吸引され得る金属による素材７を採用すると良い。
【００３５】
【発明の効果】
以上による本発明においては、比較的単純な構成でありながら、２個の装飾片の様々な組み合わせによる配置に基づき、変化に富んだ装飾効果を発揮することが可能となる。
【００３６】
このように、本願は比較的単純な構成でありながら、ペンダントの多面的な装飾効果を発揮することができ、その価値は絶大である。
【図面の簡単な説明】
【図１】実施例１の構成を示しており、（ａ）は、１個の装飾片の孔にのみ、鎖又は紐を挿通した状態を示す正面図であり、（ｂ）は、２個の装飾片の孔に鎖又は紐を挿通した状態を示す正面図である。
【図２】実施例２の構成を示しており、（ａ）は２個の装飾片の孔に鎖又は紐を挿通した状態を示す正面図であり、（ｂ）は１個の装飾片の孔にのみ鎖又は紐を挿通した状態を示す正面図であり、（ｃ）は前記（２）の構成において各装飾面部の裏面側からピンを各装飾面部の挿入孔に挿入した状態を示す背面図であり、（ｄ）は前記（３）の構成において２個の装飾片の各一対の孔を異なる位置としたうえで鎖又は紐を挿通させた状態を示す正面図である。
【図３】実施例３の構成を示しており、（ａ）は双方の装飾面部に磁石を配置した状態を示す上面図であり、（ｂ）は一方の装飾面部に磁石を配置し、他方の装飾面部に鉄又はニッケルなどの磁石によって吸引される金属を配置した状態を示す上面図である。
【図４】前記（１）の構成を示しており、（ａ）は側部の両側に装飾面部を接続させた実施形態の上面図であり、（ｂ）は上記実施形態において共通軸と孔とが近い状態にある場合の正面図であり、（ｃ）は上記実施形態において共通軸と孔とが離れた状態とした場合の正面図であり、（ｄ）は一方の孔にのみ鎖又は紐を挿通させた場合の正面図であり、（ｅ）は側部の片側にのみ装飾面部を設けた場合の上面図であり、（ｆ）は側部の両側に装飾面部を接続させた実施形態において側部を同一側に配置した場合の上面図である。
【図５】前記（２）の構成を示しており、（ａ）は側部の両側に装飾面部を接続させた実施形態において、共通軸を上下方向の一方端付近に設け、孔を他方端付近に設けた設計を採用したうえで、鎖又は紐を２個の側部の孔に挿通した場合の上面図であり、（ｂ）は上記実施形態及び設計において、鎖又は紐を２個の側部の孔に挿通した場合の正面図を示しており、（ｃ）は上記実施形態及び上記設計を採用したうえで、鎖又は紐を１個の側部の孔にのみ挿通した場合の正面図を示している。
【図６】前記（３）の構成を示しており、（ａ）は共通軸を上下方向の端部付近に設けた実施形態において、紐又は鎖を２枚の装飾面部の各一対の孔の組合せを同一位置としたうえで挿通した場合の上面図を示しており、（ｂ）は前記実施形態において前記場合の正面図を示しており、（ｃ）は前記実施形態において鎖又は紐を２枚の装飾面部の各一対の孔の組合せを異なる位置としたうえで、前記挿通した場合の正面図を示しており、（ｄ）は鎖又は紐を１個の装飾面部における一対の孔の組合せにのみ挿通したとした場合の正面図を示す。
【符号の説明】
１　装飾片
１１　装飾面部
１２　側部
２　孔
３　共通軸
４　鎖又は紐
５１　ピン
５２　挿入孔
６　磁石
７　鉄、ニッケルなどの磁石によって吸引され得る金属による素材
【図１】
2004033653.tif 000003
【図２】
2004033653.tif 000004
【図３】
2004033653.tif 000005
【図４】
2004033653.tif 000006
【図５】
2004033653.tif 000007
【図６】
2004033653.tif 000008